(57)【特許請求の範囲】
【請求項１】
記録担体上のトラックに情報信号を記録する記録装置であって、該記録装置が、
−  上記情報信号を入力する入力端子と、
−  上記情報信号をチャンネル信号にチャンネル符号化するチャンネル符号化手段であって、上記チャンネル信号は、各々が所定の固定長を持ち順次続くような信号ブロックを有し、これら信号ブロックの各々が同期信号を含む第１ブロック部と、多数のチャンネルバイトを含む第２ブロック部とを有するようなチャンネル符号化手段と、
−  上記チャンネル信号を上記記録担体上のトラックに書き込む書込手段と、
を有するような記録装置において、
前記記録装置はＭＰＥＧフォーマットに従うＭＰＥＧ情報信号の形態の情報信号を記録するように構成され、該ＭＰＥＧ情報信号は、各々が所定の固定長を持ち順次続くような伝送パケットを有し、前記チャンネル符号化手段は前記ＭＰＥＧ情報信号のｘ個の伝送パケットに含まれる情報を、前記チャンネル信号のｙ個の信号ブロックの群における前記第２ブロック部に記憶するようになっており、該ｙ個の信号ブロックの群における少なくとも最初の信号ブロックの前記第２ブロック部は第３ブロック部を有し、前記チャンネル符号化手段は、更に、識別情報を発生すると共に該識別情報をｙ個の信号ブロックの群における最初の信号ブロックの前記第３ブロック部に記憶し、これにより該信号ブロックが当該群における最初の信号ブロックであると識別するように構成され、前記ｘ及びｙはｘ≧１及びｙ＞１が成り立つような整数定数であることを特徴とする記録装置。
【請求項２】
請求項１に記載の記録装置において、前記信号ブロックにおける前記第２ブロック部が、これら信号ブロックの配列番号に関する配列番号情報を記憶する第３ブロック部を有していることを特徴とする記録装置。
【請求項３】
請求項１又は請求項２に記載の記録装置において、前記チャンネル符号化手段は前記ＭＰＥＧ情報信号のｘ個の伝送パケットに含まれる情報を、前記チャンネル信号における前記信号ブロックのうちのｙ個の第１信号ブロックの第１群における前記第２ブロック部に記憶して、通常プレイ再生モードの間においては、これらｙ個の第１信号ブロックの前記第１群に記憶されたビデオ情報を用いて通常プレイモードを可能にするように構成されており、前記チャンネル符号化手段は、更に、トリックモードビデオ信号を入力するように構成されると共に、該トリックモードビデオ信号を前記チャンネル信号における前記信号ブロックのうちのｚ個の第２信号ブロックの第２群における前記第２ブロック部に記憶して、これら第２信号ブロックに記憶されたビデオ情報を用いたトリックプレイモードを可能にするように構成されており、前記第１信号ブロックの前記第１群及び前記第２信号ブロックの前記第２群の各々における少なくとも１個の信号ブロックにおける前記第２ブロック部は、当該群が前記第１信号ブロック又は前記第２信号ブロックの何れを含むかを示す識別情報を記憶する第３ブロック部を有し、前記ｚがｚ＞１であるような整数定数であることを特徴とする記録装置。
【請求項４】
請求項１、請求項２又は請求項３に記載の記録装置において、ｙ個の前記信号ブロックの群における少なくとも伝送パケットの開始部を含む信号ブロックの前記第２ブロック部が、当該信号ブロックの前記第２ブロック部に開始部が記憶された伝送パケットに対応する伝送パケット配列番号に関する配列番号情報を記憶する第３ブロック部を有していることを特徴とする記録装置。
【請求項５】
請求項３に記載の記録装置において、前記第１信号ブロックの前記第１群及び前記第２信号ブロックの前記第２群の各々における全ての信号ブロックの前記第２ブロック部が、当該群が前記第１信号ブロック又は前記第２信号ブロックの何れを含むかを示すような識別情報を記憶する第３ブロック部を有していることを特徴とする記録装置。
【請求項６】
請求項５に記載の記録装置において、ｙ個の前記信号ブロックの群における前記第２ブロック部が、各々、当該信号ブロックに情報が記憶された伝送パケットに対応する伝送パケット配列番号に関する配列番号情報を記憶する第３ブロック部を有していることを特徴とする記録装置。
【請求項７】
請求項１、２、３又は４に記載の記録装置において、当該記録装置は前記伝送パケットの入力の時点を検出すると共に入力された各伝送パケットに関するタイミング情報を発生する検出手段を有し、ある伝送パケットに対する前記タイミング情報は当該伝送パケットの入力の時点に対応し、ｙ個の前記信号ブロックの群における少なくとも伝送パケットの開始部を含む信号ブロックの前記第２ブロック部は、当該信号ブロックの前記第２ブロック部に開始部が記憶された伝送パケットに関する前記タイミング情報を記憶する第３ブロック部を有することを特徴とする記録装置。
【請求項８】
請求項７に記載の記録装置において、ｙ個の前記信号ブロックの群における前記第２ブロック部は、各々、当該信号ブロックの前記第２ブロック部に情報が記憶された伝送パケットに対応する前記タイミング情報を記憶するような第３ブロック部を有していることを特徴とする記録装置。
【請求項９】
請求項１ないし８の何れか一項に記載の記録装置において、ｙ＞ｘであることを特徴とする記録装置。
【請求項１０】
記録坦体上のトラックにチャンネル信号の形態で記録された情報信号を再生する再生装置であって、
−  トラックから前記チャンネル信号を読み取る読取手段であって、該チャンネル信号が、各々が所定の固定長を持ち順次続くような信号ブロックを有し、これら信号ブロックの各々が同期信号を含む第１ブロック部と多数のチャンネルバイトを含む第２ブロック部とを有するような読取手段と、
−  前記チャンネル信号を前記情報信号にチャンネル復号するチャンネル復号手段と、
−  前記情報信号を出力する出力端子と、
を有するような再生装置において、
前記再生装置は前記記録担体からＭＰＥＧフォーマットに従うＭＰＥＧ情報信号を再生するように構成され、該ＭＰＥＧ情報信号は各々が所定の固定長を有して順次続く伝送パケットを有し、該ＭＰＥＧ情報信号のｘ個の伝送パケットに含まれる情報は前記チャンネル信号のｙ個の信号ブロックの群における前記第２ブロック部に記憶されており、前記ｘ及びｙはｘ≧１及びｙ＞１が成り立つような整数定数であり、前記ｙ個の信号ブロックの群における少なくとも最初の信号ブロックの前記第２ブロック部は、当該信号ブロックをｙ個の信号ブロックの群における最初の信号ブロックであると識別する識別情報を記憶する第３ブロック部を有し、
当該再生装置が、更に、
−  前記ＭＰＥＧ情報信号の前記ｘ個の伝送パケットに含まれる情報を、前記ｙ個の信号ブロックの群から取り出す第１取出手段と、
−  前記識別情報を、前記ｙ個の信号ブロックの群における前記最初の信号ブロックの前記第３ブロック部から取り出す第２取出手段と、
を有することを特徴とする再生装置。
【請求項１１】
請求項１０に記載の再生装置において、
前記信号ブロックにおける前記第２ブロック部は、これら信号ブロックの配列番号に関する配列番号情報を記憶する第３ブロック部を有し、
当該再生装置が、更に、
−  前記ＭＰＥＧ情報信号の前記ｘ個の伝送パケットに含まれる情報を、前記ｙ個の信号ブロックの群から取り出す第１取出手段と、
−  前記配列番号情報を、前記トラック内の前記信号ブロックにおける前記第３ブロック部から取り出す第２取出手段と、
を有することを特徴とする再生装置。
【請求項１２】
請求項１０又は請求項１１に記載の再生装置において、
前記ＭＰＥＧ情報信号のｘ個の伝送パケットに含まれる情報が、前記チャンネル信号の信号ブロックのうちのｙ個の第１信号ブロックの第１群における前記第２ブロック部に記憶され、これにより通常プレイ再生モードの間において前記ｙ個の第１信号ブロックの第１群に記憶されたビデオ情報を用いた通常プレイモードを可能にし、
トリックモードビデオ信号は、前記チャンネル信号の信号ブロックのうちのｚ個の第２信号ブロックの第２群における前記第２ブロック部に記憶され、これにより前記第２信号ブロックの第２群に記憶されたビデオ情報を用いたトリックプレイモードを可能にし、前記第１群における少なくとも１個の第１信号ブロック及び前記第２群における少なくとも１個の第２信号ブロックの前記第２ブロック部は、各々、当該群が前記第１信号ブロック又は前記第２信号ブロックの何れを有するかを示す指示情報を記憶する第３ブロック部を有し、
当該再生装置が、更に、
−  供給される第１又は第２制御信号に各々応じて、前記通常プレイモードにおいては前記ＭＰＥＧ情報信号のｘ個の伝送パケットのビデオ情報を前記ｙ個の第１信号ブロックの第１群から取り出す一方、前記トリックプレイモードにおいては前記トリックモードビデオ信号を前記ｚ個の第２信号ブロックの第２群から取り出す第１取出手段と、
−  当該群が前記第１信号ブロック又は前記第２信号ブロックの何れを有しているかを示す前記指示情報を、前記第１群における少なくとも１個の第１信号ブロック及び前記第２群における少なくとも１個の第２信号ブロックの前記第３ブロック部から取り出すと共に、該指示情報に応じて前記第１及び第２制御信号を発生するように構成された第２取出手段と、
を有することを特徴とする再生装置。
【請求項１３】
請求項１０、請求項１１又は請求項１２に記載の再生装置において、
ｙ個の前記信号ブロックの群における少なくとも伝送パケットの開始部を含む信号ブロックの前記第２ブロック部は、当該信号ブロックの前記第２ブロック部に開始部が記憶された伝送パケットに対応する伝送パケット配列番号に関する配列番号情報を記憶する第３ブロック部を有し、
当該再生装置が、更に、
−  前記ＭＰＥＧ情報信号の前記ｘ個の伝送パケットに含まれる情報を、前記ｙ個の信号ブロックの群から取り出す第１取出手段と、
−  前記伝送パケット配列番号に関する前記配列番号情報を、前記ｙ個の信号ブロックの群における信号ブロックの前記第３ブロック部から取り出す第２取出手段と、
を有することを特徴とする再生装置。
【請求項１４】
請求項１０、１１、１２又は１３に記載の再生装置において、
ｙ個の前記信号ブロックの群における少なくとも伝送パケットの開始部を含む信号ブロックの前記第２ブロック部は、当該信号ブロックの前記第２ブロック部に開始部が記憶された前記伝送パケットに関するタイミング情報を記憶する第３ブロック部を有し、
当該再生装置が、更に、
−  前記ＭＰＥＧ情報信号の前記ｘ個の伝送パケットに含まれる情報を、前記ｙ個の信号ブロックの群から取り出す第１取出手段と、
−  前記タイミング情報を、前記ｙ個の信号ブロックの群における信号ブロックの前記第３ブロック部から取り出す第２取出手段と、
を有することを特徴とする再生装置。
【請求項１５】
請求項１０ないし１４の何れか一項に記載の再生装置において、ｙ＞ｘであることを特徴とする再生装置。
【請求項１６】
記録担体上のトラックに情報信号を記録する方法であって、
−  前記情報信号を入力する入力ステップと、
−  前記情報信号をチャンネル信号にチャンネル符号化するチャンネル符号化ステップであって、前記チャンネル信号は、各々が所定の固定長を持ち順次続くような信号ブロックを有し、これら信号ブロックの各々が同期信号を含む第１ブロック部と、多数のチャンネルバイトを含む第２ブロック部とを有するようなチャンネル符号化ステップと、
−  前記チャンネル信号を前記記録担体上のトラックに書き込む書込ステップと、
を有するような方法において、
当該方法はＭＰＥＧフォーマットに従うＭＰＥＧ情報信号の形態の情報信号を前記記録担体に記録するためのものであり、該ＭＰＥＧ情報信号は、各々が所定の固定長を持ち順次続くような伝送パケットを有し、
前記チャンネル符号化ステップが、
−  前記ＭＰＥＧ情報信号のｘ個の伝送パケットに含まれる情報を、前記チャンネル信号のｙ個の信号ブロックの群における前記第２ブロック部に記憶するステップであって、該ｙ個の信号ブロックの群における少なくとも最初の信号ブロックの前記第２ブロック部が第３ブロック部を有するようなステップと、
−  前記第３ブロック部に識別情報を記憶し、これにより当該信号ブロックを前記ｙ個の信号ブロックの群における最初の信号ブロックであると識別するようにするステップと、
を有し、
前記ｘ及びｙはｘ≧１及びｙ＞１が成り立つような整数定数であることを特徴とする方法。
【発明の詳細な説明】
技術分野
本発明は、記録担体上のトラックに情報信号を記録する記録装置であって、該記録装置が、
−上記情報信号を入力する入力端子と、
−上記情報信号をチャンネル符号化して、前記記録担体上のトラックに記録するに適したチャンネル信号を得るチャンネル符号化手段と、
−上記チャンネル信号を上記トラックに書き込む書込手段と、
を有し、上記チャンネル信号が順次続く信号ブロックを有し、各信号ブロックが同期信号を含む第１ブロック部と、多数のチャンネルバイトを含む第２ブロック部とを有するような記録装置に関する。又、本発明は上記記録装置を用いて得られる記録担体、及び上記記録担体からビデオ信号を再生する再生装置にも関する。
背景技術
冒頭で述べたような記録装置は、本出願の末尾に掲げられた引用文献リストにおける文献（１）、即ちヨーロッパ特許出願公開第492,704号から既知である。
上記既知の装置は螺旋走査型の記録装置であり、デジタルオーディオ信号とデジタルビデオ信号とを含む情報信号を順次続くトラックのオーディオ信号記録セクタとビデオ信号記録セクタとに各々記録する。ここで、トラックを記録する場合は、トラック中の上記ビデオ信号記録セクタが最初に来て、これに上記オーディオ信号記録セクタが続く。しかしながら、トラック中で発生するセクタの順序は逆の順序でもよい。更に、トラック中には、例えばトラックの先頭に位置し内部システムクロックを該トラックから読み出された信号にロックさせることができるようにするクロック導入領域、或いは種々のセクタの間に位置して編集用ギャップとして機能するプリアンブル及びポスタンブル領域等の他のセクタを含めることもできる。この点に関しては、上記引用文献リストの文献（２）、即ち先に出願されたヨーロッパ特許出願第93,202,950号、及び同リストの文献（３）、即ちヨーロッパ特許出願第93,201,263号を参照されたい。
上記各先行文献は、長尺の磁気記録坦体への／からのデジタルビデオ及びデジタルオーディオの記録及び再生を可能にする新デジタルビデオカセット（ＤＶＣ）レコーダ規格の実現のための提案に関するものである。この新デジタルビデオレコーダ規格は、所謂ＤＶＣ型の新デジタルビデオレコーダ／再生器につながるであろう。
発明の開示
本発明は、他の形式の情報信号をプリアンブル部分に規定されたような既知のフォーマットで記録することができるような記録装置を提供することを目的とする。本発明による記録装置は、前記情報信号がＭＰＥＧフォーマットに従うＭＰＥＧ情報信号であると共に該ＭＰＥＧ情報信号が順次続く伝送パケットを有し、前記チャンネル符号化手段が前記ＭＰＥＧ情報信号のｘ個の伝送パケットに含まれる情報を、その都度、前記チャンネル信号のｙ個の信号ブロックの群の第２ブロック部に記憶するようになっており、ｙ個の信号ブロックの前記群の少なくとも最初の信号ブロックの前記第２ブロック部が当該信号ブロックをｙ個の信号ブロックの前記群の最初の信号ブロックであると識別する識別情報を記憶する第３ブロック部を有し、前記ｘ及びｙがｘ≧１及びｙ＞１であるような整数であることを特徴とする。
もっと特定的に言うと、冒頭に記載した記録装置は、前記情報信号がＭＰＥＧフォーマットに従うＭＰＥＧ情報信号であると共に該ＭＰＥＧ情報信号が順次続く伝送パケットを有し、前記チャンネル符号化手段は前記ＭＰＥＧ情報信号のｘ個の伝送パケットに含まれる情報を、その都度、前記チャンネル信号のｙ個の信号ブロックの群の第２ブロック部に記憶するようになっており、これら信号ブロックの第２ブロック部はこれら信号ブロックの配列番号に関する配列番号情報を記憶する第３ブロック部を有し、前記ｘ及びｙがｘ≧１及びｙ＞１であるような整数であることを特徴とする。
本発明は、以下のような認識に基づくものである。前記引用文献リストの文献（４）、即ちグランドアライアンスＨＤＴＶシステム仕様書の１９９４年２月２２日付け原稿、更に特定すると該仕様書の第５及び第６章、はＭＰＥＧ情報信号を伝送する伝送システムを記載しており、該信号はケーブルネットワークを介して伝送する又は放送を目的とするデータ圧縮されたデジタルビデオ信号及びこれに対応するデータ圧縮されたデジタルオーディオ信号を含んでいる。上記ＭＰＥＧ情報信号は時間的に等しい長さ又は可変長さのいずれかを持つ伝送パケットの形態である。しかしながら、上記両方共の場合において、伝送パケットは１８８バイトの情報を有し、最初のバイトは同期バイトである。
磁気記録担体等の記録担体への記録及び記録担体からの再生の形態でのＭＰＥＧ情報信号の伝送には、前記既知のテープフォーマットを経るような種類の伝送を実現するには特別の対策を講じなければならない。もっと特定すると、本発明は前記既知のテープフォーマットの信号ブロックに前記伝送パケットを記憶することに関する。
一般的に、ＭＰＥＧ情報信号のｘ個の伝送パケットに含まれる情報をｙ個の信号ブロックに記憶する場合、上記ｙ個の信号ブロック中に幾らかの占有されていない空きが、記録担体への／からのＭＰＥＧ情報信号の記録及び再生の特定の応用に関するような付加的情報を記憶することができるように残存すると言うことができる。ＤＶＣフォーマットの特定の例では、前記第２ブロック部は７７バイトの情報を有する。この状況では、各々から同期バイトが除去された２つの伝送パケットを、５つの信号ブロックの第２ブロック部に記憶することができる。従って、これら５つの信号ブロックには、１１バイト（＝５ｘ７７−２ｘ１８７）が利用可能のまま残る。これら１１個のバイトは上記５つの信号ブロックの第２ブロック部上に前記第３ブロック部が得られるように種々の方法で分配することができる。このような方法のうちの一つは、全ての第２ブロック部の最初の２バイトを第３ブロック部として利用可能とし、最後のバイトをこれら５つの信号ブロックに記憶される２つの伝送パケットの情報間の境界を示すための第３ブロック部と考える方法である。
上記例では、当該信号ブロックをｙ個の信号ブロックの群の最初の信号ブロックであると識別する識別情報をｙ個の信号ブロックの群における最初の信号ブロックの第３ブロック部に記憶することができる。又は、信号ブロックの配列に関する配列番号情報（配列番号）を前記各第３ブロック部に記憶することができる。この配列番号は連続カウンタとして識別することができる。これらの提案された対策の結果、多数の利点が得られる。
信号ブロックをｙ個の信号ブロックの群における最初の信号ブロックであると識別するような識別情報を用いる利点は、群の開始を検出することができ、これにより再生中のデータの読み出しが簡単になるという点にある。
配列番号を用いる一つの利点は、信号ブロックを再生する場合に、再生誤りにより信号ブロックが無くなったか否かをこれら配列番号の入力の際に判断することができ、これにより誤り訂正又は誤り隠蔽を実施することができる点にある。他の利点は、記録の際に信号ブロックに記憶すべき情報を混ぜ切り（shuffle）することができる点にある。配列番号を取り出した際に、取り出された配列番号に応じて対応する逆混ぜ切りを実施して元のデータ流を得ることが可能である。
更に、配列番号を信号ブロックの第３ブロック部に含めることにより、これら信号ブロックに記憶されたＭＰＥＧデータ流の伝送パケットが記録及びその後の再生処理の間に発生するであろう誤りに対して一層高度な保護が必要な場合に、信号ブロックを繰り返すことが可能になる。
又、冒頭で述べた記録装置は、前記情報信号がＭＰＥＧフォーマットに従うＭＰＥＧ情報信号であると共に該ＭＰＥＧ情報信号が順次続く伝送パケットを有し、前記チャンネル符号化手段が前記ＭＰＥＧ情報信号のｘ個の伝送パケットに含まれる情報を、その都度、前記チャンネル信号の前記信号ブロックのうちのｙ個の第１信号ブロックの第１群の第２ブロック部に記憶して、通常プレイ再生モードの間にｙ個の第１信号ブロックの前記第１群に記憶されたビデオ情報を用いた通常プレイモードを可能にするようにし、前記チャンネル符号化手段は更に前記ＭＰＥＧ情報信号からトリックモードビデオ信号を取り出すと共に、該トリックモードビデオ信号を前記チャンネル信号の前記信号ブロックのうちのｚ個の第２信号ブロックの第２群の第２ブロック部に記憶して、これら第２信号ブロックに記憶されたビデオ情報を用いたトリックプレイモードを可能にし、前記第１及び第２信号ブロックの前記第１及び第２群の各々における少なくとも１個の信号ブロックの第２ブロック部は当該群が第１信号ブロック又は第２信号ブロックの何れを有するかを示す識別情報を記憶する第３ブロック部を有し、前記ｘ、ｙ及びｚがｘ≧１、ｙ＞１及びｚ＞１であるような整数であることを特徴とする。
もっと特定すると、前記情報信号はＭＰＥＧフォーマットに従うＭＰＥＧ情報信号であると共に該ＭＰＥＧ情報信号は順次続く伝送パケットを有し、前記チャンネル符号化手段は前記ＭＰＥＧ情報信号のｘ個の伝送パケットに含まれる情報を、その都度、前記チャンネル信号のｙ個の信号ブロックの群の第２ブロック部に記憶するようになっており、前記ｙ個の信号ブロックの群における少なくとも伝送パケットの開始部を含む信号ブロックの第２ブロック部は、当該信号ブロックの第２ブロック部に開始部が記憶された伝送パケットに対応する伝送パケット配列番号に関する配列番号情報を記憶する第３ブロック部を有し、前記ｘ及びｙがｘ≧１及びｙ＞１である。
この構成は、再生装置において、第１信号ブロック又は第２信号ブロックを有する群を示す上記情報の検出に応じて、第１信号ブロックを用いた通常プレイモードでの再生及び第２信号ブロックを用いたトリックプレイモードでの再生を可能にする。
又、冒頭で述べた記録装置は、第１及び第２信号ブロックの第１及び第２群の各々における全ての信号ブロックの第２ブロック部が、当該群が第１信号ブロック又は第２信号ブロックの何れを含むかを示す識別情報を記憶する第３ブロック部を有していることを特徴とする。
もっと特定すると、ｙ個の信号ブロックの群の前記第２ブロック部は、各々、当該信号ブロックに情報が記憶された伝送パケットに対応する伝送パケット配列番号に関する配列番号情報を記憶する第３ブロック部を有している。
パケット配列番号を記憶することは、一定のビットレートを有し且つインターリーブされた多数の異なるビデオプログラムを有するＭＰＥＧデータ流を入力する場合に利点を有している。通常、上記のようなデータ流は全データ流を記録担体に記録するには高過ぎるビットレートを有している。この場合、当該記録装置は上記ＭＰＥＧデータ流から１つのビデオプログラムと、これに対応するオーディオ信号とを取り出して記録用のＭＰＥＧ情報信号を得るプログラム選択器を有する。１つのビデオプログラムのみに対応する情報はＭＰＥＧ伝送パケットに含まれているから、上記のような選択器は前記ＭＰＥＧデータ流から上記１つのみのビデオプログラムに対応する情報を含む伝送パケットのみを選択する。このことは、元のＭＰＥＧデータ流の幾つかのパケットは削除されるということを意味する。しかしながら、再生に際してはＭＰＥＧ規格には従うが上記の１個のビデオプログラムのみしか有さないＭＰＥＧビデオ信号を再現しなければならない。このように再現されたデータ流は、記録に際して選択された伝送パケットを同じ位置に有さねばならない。即ち、なんとかして、記録に際して削除されたパケットに対応するダミーパケットを上記の再現されたデータ流に挿入しなければならない。記録に際しては、配列番号が入力された各伝送パケットに、即ち削除されるであろうパケットに対しても付加される。選択され且つ記憶されるパケットの配列番号は、伝送パケットが記憶される信号ブロックの第３ブロック部に記憶される。再生に際しては、番号の配列が取り出されるが、後続する番号が必ずしも次に大きな番号となる必要はない。このような状況では、元のＭＰＥＧデータ流を再現するために、１以上のダミーパケットが挿入されねばならない。
冒頭で述べた記録装置は、更に、前記情報信号がＭＰＥＧフォーマットに従うＭＰＥＧ情報信号であると共に該ＭＰＥＧ情報信号が順次続く伝送パケットを有し、当該記録装置が前記伝送パケットの入力の時点を検出すると共に入力された各伝送パケットに関するタイミング情報を発生する検出手段を有し、ある伝送パケットに対する前記タイミング情報が当該伝送パケットの入力の時点に対応し、前記チャンネル符号化手段は前記ＭＰＥＧ情報信号のｘ個の伝送パケットに含まれる情報を、その都度、前記チャンネル信号のｙ個の信号ブロックの群の第２ブロック部に記憶するようになっており、前記ｙ個の信号ブロックの群における少なくとも伝送パケットの開始部を含む信号ブロックの第２ブロック部は、当該信号ブロックの第２ブロック部に開始部が記憶された伝送パケットに関するタイミング情報を記憶する第３ブロック部を有し、前記ｘ及びｙがｘ≧１及びｙ＞１であるような整数であることを特徴とする。
もっと特定すると、ｙ個の信号ブロックの群の第２ブロック部の各々は、当該信号ブロックの第２ブロック部に情報が記憶された伝送パケットに対応するタイミング情報を記憶する第３ブロック部を有している。伝送パケットに対応するタイミング情報を記憶するには、当該記録装置に伝送パケットの入力時点を検出する検出手段を設ける必要がある。この対策は、可変ビットレートを有し且つインターリーブされた多数の異なるビデオプログラムを有するＭＰＥＧデータ流が入力されるような場合に利点がある。先にも述べたように、通常、上記のようなデータ流は全データ流を記録担体上に記録するには高過ぎるようなビットレートを有している。この場合、当該記録装置は上記ＭＰＥＧデータ流から１つのビデオプログラムと、これに対応するオーディオ信号とを取り出して記録用のＭＰＥＧ情報信号を得るプログラム選択器を有する。１つのビデオプログラムのみに対応する情報はＭＰＥＧ伝送パケットに含まれているから、上記のようなプログラム選択器は前記ＭＰＥＧデータ流から上記１つのみのビデオプログラムに対応する情報を含む伝送パケットのみを選択する。伝送パケットに対応するタイミング情報を検出し且つ記憶することにより、当該再生装置は上記タイミング情報を取り出し、該タイミング情報を用いてＭＰＥＧ情報信号を再現することができる。
ここで、上述した各対策は単独でも又は相互に組み合わせても当該記録装置に応用することができることに注意されたい。結果として、記録担体上のトラックに信号ブロックが記憶され、これら信号ブロックが同期信号を含む第１ブロック部と多数のチャンネルバイトを含む第２ブロック部とを有し、前記ＭＰＥＧ情報信号のｘ個の伝送パケットが前記チャンネル信号のｙ個の信号ブロックの群における第２ブロック部に記憶されるような記録担体が得られる。更に、本発明によれば、
−ｙ個の信号ブロックの群の少なくとも最初の信号ブロックの第２ブロック部が、当該信号ブロックを前記ｙ個の信号ブロックの群の最初の信号ブロックであると識別する識別情報を記憶する第３ブロック部を有するか、又は、
−前記識別情報が配列番号情報であり、且つ、ｙ個の信号ブロックの群の第２ブロック部が全て当該信号ブロックの配列番号に関する配列番号情報を記憶する第３ブロック部を有するか、又は、
−前記信号ブロックの第２ブロック部が、各々、当該信号ブロックが「通常プレイ」データか又は「トリックモード」データの何れを含むかを示す識別情報を記憶する第３ブロック部を有するか、又は、
−ｙ個の信号ブロックの群における少なくとも伝送パケットの開始部を含む信号ブロックの第２ブロック部が、当該信号ブロックの第２ブロック部に開始部が記憶された伝送パケットに対応する伝送パケット配列番号に関する識別情報を記憶する第３ブロック部を有するか、又は、
−ｙ個の信号ブロックの群における少なくとも伝送パケットの開始部を含む信号ブロックの第２ブロック部が、当該信号ブロックの第２ブロック部に開始部が記憶された伝送パケットに関するタイミング情報を記憶する第３ブロック部を有するか、又は、
−第３ブロック部が上述した対策の１以上の組合せから得られる情報を有する。
なお、再生装置は前記記録装置の各特定の実施例に適合させ、これにより記録担体上に記録されたＭＰＥＧ情報信号を再生することができるようにする必要があることは明らかであろう。このような再生装置は、本出願の再生装置のクレームの主題となっている
【図面の簡単な説明】
本発明の上記及び他の特徴は以下に説明する実施例から明らかになるであろう。なお、添付図面において：
第１図は、ＤＶＣ型の記録坦体のトラックフォーマットを示し、
第２図は、第１図のトラックにおけるビデオ信号記録セクタの内容を図式的に示し、
第３図は、直列ＭＰＥＧデータ流及び該直列ＭＰＥＧデータ流に含まれる伝送パケットのフォーマットを図式的に示し、
第４図は、５つの信号ブロックへの２つの伝送パケットの記憶例を示し、
第５図は、ＭＰＥＧ情報が記録された場合のトラックの内容を示し、
第６図は、本記録装置の一実施例を示し、
第７図は、本再生装置の一実施例を示し、
第８ａ図は一定のビットレート及びパケットレートを持つ元の直列ＭＰＥＧデータ流の一例を、第８ｂ図は記録される該ＭＰＥＧデータ流を、第８ｃ図は上記元の直列ＭＰＥＧデータ流の再現された複製を、各々示し、
第９図は、第６図の記録装置における「通常プレイ」処理ユニットの一実施例を示し、
第１０図は、各々が５つの信号ブロックを持つ３つの群の配列の一例を示し、
第１１図は、各々が５つの信号ブロックを持つ３つの群の配列の他の例を示し、
第１２図は、第７図の再生装置における「通常プレイ」処理ユニットの一例を示し、
第１３ａ図は可変のビットレート及びパケットレートを持つ元の直列ＭＰＥＧデータ流の一例を、第１３ｂ図は記録される該ＭＰＥＧデータ流を、第１３ｃ図は上記元の直列ＭＰＥＧデータ流の再現された複製を、各々示し、
第１４図は、第６図の記録装置における「通常プレイ」処理ユニットの他の実施例を示し、
第１５図は、第７図の再生装置における「通常プレイ」処理ユニットの他の実施例を示し、
第１６図は、記録坦体及びトリックプレイモード中に該記録坦体を走査する読出ヘッドを示し、
第１７図は、トリックプレイ領域を形成するトラック中の信号ブロックの配列を示す。
発明を実施するための最良の形態
第１図は、ＤＶＣ型の螺旋走査ビデオレコーダにより磁気記録坦体上のトラックに記録された信号のフォーマットを示している。第１図のトラック１の左端が当該トラックの始点であり、上記トラックの右端が当該トラックの終端部である。当該トラックは多数のトラック部分を有している。Ｇ１で示されるトラック部分はプリアンブルトラック部である。このプリアンブルトラック部Ｇ１の一例は文献（１）に詳細に記載されている。
上記トラック部Ｇ１にはトラッキングトーン記録部ＴＰ１が後続し、該記録部はＩＴＩ（挿入タイミング情報）トラック部として示され、トラッキングトーンと同期情報と識別（又はタイミング）情報とを含んでいる。上記ＩＴＩトラック部の内容のこれ以上の説明は文献（３）に見ることができる。
上記トラック部ＴＰ１には編集用ギャップＧ２が後続する。この編集用ギャップＧ２にはトラック部ＴＰ２が後続するが、このトラック部はオーディオ信号記録セクタであり、デジタルオーディオ情報を有している。また、編集用ギャップＧ３にはトラック部ＴＰ３が後続するが、このトラック部はビデオ信号記録セクタであり、デジタルビデオ情報を有する。また、編集用ギャップＧ４にはINDEXにより示すトラック部ＴＰ４が後続し、該トラック部は絶対及び／又は相対時間情報及びテーブルオブコンテンツ（ＴＯＣ）等の他のサブコード情報を有している。当該トラックはトラック部Ｇ５で終端する。なお、トラック内で各部ＴＰ１、ＴＰ２及びＴＰ３が発生する順序は異なっていてもよいと言える。
上記ビデオ信号記録セクタＴＰ３の内容を第２図に示す。第２図は、実際には、情報のバイトが記憶されたｊ＝１〜ｊ＝１４９で示す１４９本の水平ラインを図式的に示している。上記１４９本のラインは、実際に、ビデオ信号記録セクタＴＰ３に順次記憶される１４９個の信号ブロック（又は同期ブロック）である。各信号ブロックにはｉ＝１〜ｉ＝９０により示す９０バイトの情報が記憶される。
各信号ブロックの最初の２つのバイト（ｉ＝１及びｉ＝２）は２バイト長の同期パターンを形成する。各信号ブロックにおける後続する３つのバイトはＩＤコードを形成し、本ビデオ信号記録部ＴＰ３における当該信号ブロックの連続番号を示す情報等を有している。各信号ブロックの最後の８個のバイトは水平方向のパリティ情報を形成している。垂直方向のパリティ情報は、最後の１１個の信号ブロックの記憶位置ｉ＝６〜ｉ＝８２に記憶される。
ビデオ信号情報のバイトは、連続番号ｊ＝３〜ｊ＝１３７を持つ信号ブロックのｉ＝６〜ｉ＝８２の記憶位置に記憶されている。補助データのバイトは、連続番号ｊ＝１、２及び１３８を持つ信号ブロックのｉ＝６〜ｉ＝８２の記憶位置に記憶される。これら信号ブロックはビデオ信号部ＴＰ３に、ｊ＝１で示す信号ブロックから開始し、ｊ＝２等で示す信号ブロックが後続し、ｊ＝１４９で示す信号ブロックまで、順次記憶される。
ｊ＝１、２及び１３８で示す信号ブロックに記憶する前記補助データは、テレテキストデータ又は制御データでもよい。
ここで、上記補助データは当該メモリの異なる位置に記憶されると規定することもできることに注意されたい。この点に関しては前記文献（１）の第１３図を参照されたいが、そこでは補助データはIIIで示すメモリ部分に記憶されている。
第３図は本発明による記録装置に供給されるＭＰＥＧデータ流を図式的に示している。このＭＰＥＧデータ流は、…、Ｐk-1、Ｐk、Ｐk+1、…で示される順次配列された伝送パケットを有している。これらパケットは、各々、４バイト長のヘッダ部ＰＨと、１８４バイト長の本体部分とを有している。これら伝送パケットは一定のビットレートを持つデータ流で伝送することができる。このことは、これらパケットは時間的に見て等しい長さであり、固定のパケットレートで入力されるということを意味している。又、これら伝送パケットは可変のビットレートを持つデータ流で伝送することもできる。この場合には、各パケットは時間的に見て同一の長さである必要はなく、可変のパケットレートで入力することができる。前記パケットヘッダＰＨ内の最初のバイトは同期バイトである。この同期バイトは全ての伝送パケットに対して同一である。このヘッダにおける他の３つのバイトは、パケット識別子のようなＩＤ情報を有している。このＩＤ情報の内容についてのこれ以上の説明に関しては、前記引用文献リストの文献（４）、更に特定すると第２７頁の第５章、５．１節、を参照されたい。
上記伝送パケットの本体部分は、各々、ＭＰＥＧフォーマットで伝送されるべきビデオ及びオーディオ情報を記憶するための１８４個のバイトを有している。一つの伝送パケットの本体部分は、あるビデオ信号に対応するオーディオ情報、又は該ビデオ信号のいずれをも記憶することができる。更に、多数のビデオプログラムがＭＰＥＧデータ流を介して伝送される場合は、上記本体部分は伝送される上記のようなビデオプログラムのうちの一つに対応するビデオ信号を記憶する。
さて、本発明は、第１図及び第２図に示されたようなトラックフォーマットを持つ記録担体上に、ＭＰＥＧデータ流を介して伝送されるビデオプログラムのうちの一つに対応するビデオ信号、及びそれに対応するオーディオ信号を記録することを目的とする。これら伝送パケットに記憶された情報は信号ブロックに、即ちトラックのビデオ信号記録部ＴＰ３におけるｊ＝３〜ｊ＝１３７により示す１３５個の信号ブロック内に記憶されねばならない。これら信号ブロックにおけるｉ＝１及び２により示す２つの同期バイト、ｉ＝３、４及び５により示す３個のＩＤバイトの形のＩＤ情報、並びにｉ＝８３〜９０により示す８個の水平方向パリティは正しい記録及び再生のために必要である。結果として、ｊ＝３〜１３７により示す信号ブロック内のｉ＝６〜８２により示す７７個のバイトのみが前記ＭＰＥＧ情報の伝送パケットの記憶用として利用することができる。各信号ブロックのｉ＝６〜８２の７７バイトにより形成される上記部分は、これら信号ブロックの第２ブロック部であるとする。
記録及び再生中の同期は各信号ブロック内の同期語により保証されるので、伝送パケットの前記同期バイトは記録担体を介して伝送する必要はない。従って、伝送パケット内に含まれる情報をｊ＝３〜１３５により示す信号ブロックの上記第２ブロック部に記憶する前に、全ての伝送パケットの同期バイトは捨てられる。結果として、各伝送パケットに関しては１８７バイト分の情報のみが信号ブロックに記憶されるべきであることになる。
簡単な計算により、２つの伝送パケットが５つの信号ブロックに記憶することができ、１１個のバイトが他の情報の記憶用に残ることが明らかとなる。第４図は、２つの伝送パケットが同第４図にＳＢ１〜ＳＢ５で示す５つの信号ブロックの群の各第２ブロック部にどの様に記憶することができるかの一例を示している。尚、第４図は各信号ブロックに含まれる７７バイト長の第２ブロック部の内容のみを示している。第４図に見られるように、前記１１バイトは上記５つの信号ブロックの群にわたり、各第２ブロック部がこれら５つの信号ブロックＳＢ１〜ＳＢ５の第２ブロック部の始めに２バイト長の第３ブロック部TB3.1〜TB3.5を各々有し、且つ、ＦＢにより示される１バイトの形の第３ブロック部が３番目の信号ブロックＳＢ３で利用することができるように、分配されている。最初の伝送パケットの１８７バイトは信号ブロックＳＢ１、ＳＢ２及びＳＢ３内に記憶され、その場合、ＴＨ１で示す最初の伝送パケットのパケットヘッダの３個のＩＤバイトが信号ブロックＳＢ１内の第３ブロック部TB3.1の直後に先ず記憶され、次いで最初の伝送パケットの本体の最初の７２バイトが信号ブロックＳＢ１の第２ブロック部のそれ以降に記憶される。上記最初の伝送パケットの本体における次の７５バイトは、信号ブロックＳＢ２の第３ブロック部TB3.2の後の第２ブロック内に記憶され、該最初の伝送パケットの本体の最後の３７バイトは信号ブロックＳＢ３の第３ブロック部TB3.3の後の第２ブロック部に記憶される。
次にバイトＦＢが来るが、該バイトは５つの信号ブロックの群内に記憶される１番目と２番目の伝送パケットの情報の間の境界を示す。２番目の伝送パケットの１８７個のバイトは信号ブロックＳＢ３、ＳＢ４及びＳＢ５に記憶されるが、その場合ＴＨ２で示す２番目の伝送パケットのパケットヘッダの３個のＩＤバイトが信号ブロックＳＢ３の前記バイトＦＢの直後に先ず記憶される。次に、上記２番目の伝送パケットの本体の最初の３４バイトが信号ブロックＳＢ３の第２ブロック部のそれ以降に記憶される。２番目の伝送パケットの本体の次の７５バイトは信号ブロックＳＢ４の第３ブロック部TB3.4の後の第２ブロック部に記憶され、該２番目の伝送パケットの本体の最後の７５バイトが信号ブロックＳＢ５の第３ブロック部TB3.5の後の第２ブロック部に記憶される。
ここで、上記１１個の利用可能なバイトの５つの信号ブロックに対する他の分散法も可能であることに注意されたい。一例として、１１バイトを２つの第３ブロック部に分割し、一方の第３ブロック部が例えば６バイトを有すると共に最初の信号ブロックＳＢ１の始めに位置し、５バイト長の他方の第３ブロック部が３番目の信号ブロックに位置すると共に５つの信号ブロックに記憶される２つの伝送パケット間の境界を示すようにすることもできる。又、他の例では、第３ブロック部を信号ブロックＳＢ１及びＳＢ３の始めに位置させる一方、他の第３ブロック部を３番目の信号ブロックＳＢ３に位置させると共に５つの信号ブロックに記憶される２つの伝送パケットの間の境界を示すようにする。その場合には、信号ブロックＳＢ１の第３ブロック部は例えば４バイトを有することができ、信号ブロックＳＢ３の最初の第３ブロック部は例えば３バイトを有することができ、信号ブロックＳＢ３の前記境界を示す第３ブロック部は例えば４バイト長とすることができる。
第３ブロック部TB3.1〜TB3.5は付加的な情報の記憶用に使用することができる。第１の例として、第３ブロック部TB3.1は、信号ブロックＳＢ１が５つの信号ブロックのなかの最初の信号ブロックであることを識別する指示子を含むことができる。これは、第３ブロック部TB3.1の１つの特定のビット位置に、「０」又は「１」のようなある極性のビット値を記憶することにより実現することができる。この場合、第３ブロック部TB3.2〜TB3.5の同一のビット位置には反対の極性のビット値を記憶しなければならない。他の例では、５つの信号ブロックの群の第３ブロック部TB3.1〜TB3.5に例えば１〜５まで変化する連続番号のような連続番号情報を記憶することもでき、その場合第３ブロック部TB3.1は連続番号「１」を記憶し、第３ブロック部TB3.5は連続番号「５」を記憶する。この場合は、上記連続番号を記憶するために上記第３ブロック部TB3.1〜TB3.5に３つの特定のビット位置が必要である。しかしながら、上記連続番号を群の境界を越えて付し、例えば１つのトラック内の又は２以上のトラック内のもっと大きな配列の信号ブロックを識別するようにすることもできる。
他の例では、５つの信号ブロックの群の第３ブロック部TB3.1〜TB3.5内の１つの特定のビット位置を、当該信号ブロックに含まれるビデオデータが所謂「通常プレイ」データであることを示すべき「０」又は「１」のような一方の極性のビット値を記憶するか、又は当該信号ブロックに含まれるビデオデータが所謂「トリックプレイ」ビデオデータであることを示すべき上記と反対の極性のビット値を記憶するために使用することもできる。上記「通常プレイ」ビデオデータ及び「トリックプレイ」ビデオデータの使用については後述する。
更に他の例において、連続番号は入力されたＭＰＥＧデータ流内の伝送パケットに応答して発生される。前述したように、このようなＭＰＥＧデータ流は２以上のプログラムを含むことができる。ＭＰＥＧデータ流のビットレートは、通常、記録することができる信号のビットレートよりも高いから、一つのビデオプログラムのみを直列ＭＰＥＧデータ流から記録用として選択することができる。一つのビデオプログラムを選択するということは、ＭＰＥＧデータ流のデータ流から該ビデオプログラムに関係する情報を持つ伝送パケットを選択し、他のパケットを除去することを意味する。結果として、記録される伝送パケットの直列配列は、除去された伝送パケットの連続番号が存在しないので、必ずしも次の大きな番号となるような連続番号を持つとは限らない。上記連続番号を前記第３ブロック部に記憶する場合には、再生時にこれら連続番号を取り出すことができる。取り出された順次の連続番号を検査することにより、記録装置に付与された元のＭＰＥＧデータ流が、再生された２つの伝送パケットの間に除去された伝送パケットを元々含んでいたか否かを確認することができる。もしそうなら、元のＭＰＥＧデータ流の複製を、再生された２つの伝送パケットの間に１以上のダミーパケットを挿入することにより再現することができる。
上記と関連する例においては、上述したのと同様の理由により、即ち元のＭＰＥＧデータ流の複製を再現するために、元のＭＰＥＧデータ流が可変ビットレートを持つデータ流であるような場合は、タイミング情報が前記第３ブロック部に記憶される。
又、上述したような付加的情報の組合せを、５つの信号ブロックの群内の、このような情報を記憶するのに利用できる前記１１バイト中に含めることができることは明らかであろう。
一例として、上記により、第３ブロック部においては５つの信号ブロックの群内の各信号ブロックの連続番号を示すためには３ビット語が必要であることが明らかとなった。即ち、「０００」、「００１」、「０１０」、「０１１」及び「１００」なる３ビット語を連続番号を識別するために使用することができる。このことは「１０１」、「１１０」及び「１１１」なる３ビット語は他の識別用として残っていることを意味している。一例として、「１０１」及び「１１０」なる３ビット語を「通常プレイ」データ又は「トリックプレイ」データのいずれであるかを識別するために使用することができる。
第５図は、ＭＰＥＧ情報が、ここではトラック部ＴＰ３'として示す第１図のトラック部ＴＰ３の信号ブロックの第２ブロック部に記憶された場合の当該トラックのトラックフォーマットを示している。第５図はトラック部ＴＰ３'内に、依然として補助データを含む最初の２つの信号ブロック（ｊ＝１、２）と、これに後続しこの場合は前記ＭＰＥＧ情報及び上述した付加的情報を有する１３５個の信号ブロック（ｊ＝３〜ｊ＝１３７）とを示している。次の１個の信号ブロック（ｊ＝１３８）も補助データを有し、これにはパリティ情報を有する１１個の信号ブロックが後続している。上記ＭＰＥＧ情報及び付加的情報の１３５個の信号ブロックへの記憶には該情報への付加的な誤り符号化処理の実施が必要とされ、この結果付加的なパリティ情報もトラックに記憶しなければならない。ビデオ情報と、これに対応するオーディオ情報とを含むＭＰＥＧ情報はトラック部ＴＰ３'内の１３５個の信号ブロックに記憶されるから、オーディオ情報を第１図のトラック部ＴＰ２に記憶する必要はない。第５図においてＴＰ２'で示す該部分は、上記の付加的な誤り符号化処理からの結果のパリティ情報を記憶するために使用することができる。
第６図は、本記録装置の一実施例を概念的に示している。この記録装置は、ＭＰＥＧ直列データ流を入力する入力端子１１を有し、該データ流に含まれる伝送パケットは各トラックのトラック部ＴＰ３'の信号ブロックに記録する。この入力端子１１は「通常プレイ」処理ユニット１４の入力端子１２に結合されている。オプションとして、上記入力端子１１に結合された入力端子１７を持つ「トリックプレイ」処理ユニット１６が設けられる。「通常プレイ」処理ユニット１４及び「トリックプレイ」処理ユニット１６（もし在るなら）の出力端子１９及び２０は、マルチプレクサ２２の対応する入力端子に結合されている。この場合、「トリックプレイ」処理ユニット１６が存在しない場合はマルチプレクサ２２も存在しないことは明らかであろう。
ｊ＝１、２及び１３８（第２図参照）により示される信号ブロックに記憶するための前記補助信号を出力する補助信号発生器２４が設けられている。マルチプレクサ２２と上記発生器２４との出力端子は誤り訂正符号器ユニット２６の対応する入力端子に結合されている。この誤り訂正符号器ユニット２６は、ECC3で示される第１の誤り訂正符号化処理及びECC2により示す第２の誤り訂正符号化処理を実行することができる。ECC1で示す次の第３の誤り訂正符号化処理は、誤り訂正符号器ユニット２８により実行される。
当該記録装置は、更に、信号ブロックのｉ＝３、４及び５のバイトにＩＤ情報を付加し（第２図参照）、トラック部ＴＰ４に記憶するインデックス情報を付加し（第５図参照）且つギャップＧ１〜Ｇ５を実現するためのギャップ情報を発生する発生器３０を有している。合成ユニット３２で上記信号を組み合わせた後、この合成信号はユニット３４に供給される。このユニットでは符号化が行われるが、そこでは入力されるビット流の２４ビット語がその都度２５ビット語に変換され、信号ブロックの最初の２バイト（ｉ＝１、２）を得るために同期語が付加され、又トラック部ＴＰ１に記憶するためにＩＴＩ情報が付加される。
符号化ユニット３４により実行される上記２４／２５符号化は既知のものである。この点に関しては、前記引用文献リスト中の文献（５）、米国特許第5,142,421号を参照されたい。この文献はデータ流に同期語を付加する方法も示している。
上記符号化ユニット３４の出力端子は書込ユニット３６の入力端子に結合され、該ユニットにおいては符号化ユニット３４により得られたデータ流が、少なくとも１個の書込ヘッド４２により記録担体上の斜めのトラックに記録される。
ECC3で示された第１の誤り訂正符号化処理は、記録担体上に記録すべきＭＰＥＧ情報の付加的な誤り保護を実現するために必要とされ、結果として前述したようにトラック部ＴＰ２'に記憶されるパリティ情報が得られる。ECC2により示される第２の誤り訂正符号化処理の結果、トラック部ＴＰ３’の１１個の信号ブロック（ｊ＝１３９〜１４９）に記憶される垂直方向パリティ情報が得られる（第２図及び第５図参照）。ECC1で示される第３の誤り訂正符号化処理の結果、トラック部ＴＰ３'の信号ブロックの最後の８バイトに記憶される水平方向パリティ情報が得られる（第２図及び第５図参照）。
第６図の記録装置の「通常プレイ」処理ユニット１４及び「トリックプレイ」処理ユニット１６についてのこれ以上の説明を行う前に、再生装置の概要を先ず説明する。このほうが、上記処理ユニット１４及び１６に適用する対策を更に説明する場合に、これらの対策の再生中の利点及び結果との直接の関係が判るという利点がある。
第７図は、第６図の記録装置により得られる記録担体４０から情報を再生するための再生装置の一実施例を概念的に示している。この再生装置は上記記録担体４０上の斜めのトラックから情報を読み取るための少なくとも１個の読取ヘッド５２を持つ読取ユニット５０を有している。この読取装置５０の出力端子は復号ユニット５４の入力端子に結合され、該ユニットは読み出された信号に２５／２４復号処理を施して入力データ流中の２５ビット語を２４ビット語に変換する。次に、選択器ユニット５６において元のＭＰＥＧデータ流の複製の再現に必要のない全ての情報を選択除去した後、誤り訂正ユニット５８において誤り訂正が実行される。この実行される誤り訂正が３つの処理工程を有していることは明らかであろう。この場合、ECC1に基づく誤り訂正処理は水平方向パリティを使用し（第２図参照）、ECC2に基づく第２の誤り訂正処理は垂直方向パリティを使用し、ECC3に基づく第３の誤り訂正処理はトラック部ＴＰ２'に記憶されたパリティ情報を使用する（第５図参照）。
上記誤り訂正ユニット５８の出力端子は「通常プレイ」処理ユニット６０の入力端子に結合されている。オプションとして、誤り訂正ユニット５８の出力端子に結合された入力端子を持つ「トリックプレイ」処理ユニット６２が設けられる。「通常プレイ」処理ユニット６０及び「トリックプレイ」処理ユニットの出力端子６４及び６５は、スイッチ６６の対応する端子ａ及びｂに各々結合されるが、該スイッチのｃ端子は出力端子６８に結合されている。尚、「トリックプレイ」処理ユニット６２がない場合はスイッチ６６も必要ないことは明らかであろう。当該再生装置が「通常プレイ」再生モード側に切り換えられた場合、このことは記録担体が通常の速度で移送され、「通常プレイ」処理ユニット６０が動作状態にされ、スイッチ６６がａ−ｃ位置に切り換えられることを意味する。当該再生装置が「フィーチャモード」とも呼ばれる「トリックプレイ」再生モードに切り換えられた場合、このことは記録担体が通常速度以外の速度で移送され、「トリックプレイ」処理ユニット６２が動作状態にされ、スイッチ６６がｂ−ｃ位置に切り換えられることを意味する。
さて、第６図の処理ユニット１４及び１６を、第７図の処理ユニット６０及び６２と組み合わせて更に説明する。
当該記録装置は、使用者により当該装置に供給された選択信号に応答して、入力端子１１に供給される直列ＭＰＥＧデータ流から一つのビデオプログラムと該プログラムに対応するオーディオ信号とを選択することができるものと仮定する。前述したように、この場合は上記直列ＭＰＥＧデータ流内の上記の選択されたビデオプログラムに関係する情報を含む伝送パケットのみが選択されるべきである。第８ａ図はＰkで示される伝送パケットを有する直列ＭＰＥＧデータ流を時間の関数として示している。ここで、当該ＭＰＥＧデータ流の伝送パケットはパケット番号を有していないことに注意されたい。従って、第８ａ図に示されたパケット番号ｋは、後述する第９図のパケット番号発生器８６により発生される番号である。
第８ａ図のパケットＰkのうち選択されたビデオプログラムに関係する情報を含むパケットのみを選択するということは、一例として、パケットＰk-4、Ｐk-1、Ｐk、Ｐk+2、Ｐk+4及びＰk+8が選択され、それらの中間のパケットは捨てられるということを意味する。結果として、当該記録装置において記録担体上に記録するための第８ｂ図に示すようなデータ流が得られるが、同図は該データ流を時間の関数として示している。尚、第８ａ図及び第８ｂ図の時間スケールのタイミングからも、又第８ａ図及び第８ｂ図の時間スケールの間の相対位置からも結論を引き出してはならない。これは、前述したように元のＭＰＥＧデータ流（第８ａ図）のビットレートは、選択された伝送パケットが記録担体上に記録されるビットレートとは異なる（より高い）という理由からである。
第８ｂ図に示すようなデータ流を記録する「通常プレイ」処理ユニット１４の一実施例が第９図に概念的に示されている。第９図に１４'で示す実施例は、当該ユニット１４'の入力端子１１に結合された入力端子を持つ選択器ユニット７６を有している。選択器ユニット７６は使用者により供給される選択信号を入力するための他の入力端子７８を有している。この選択器ユニット７８の出力端子７９は同期削除器８０の入力端子に結合され、該削除器の出力端子は信号合成ユニット８２に結合されている。更に、選択器７６の出力端子８１は制御信号を合成ユニット８２に供給するために該合成ユニット８２の制御入力端子８３に結合されている。
前記入力端子１１は更にパケット検出器８４の入力端子にも結合され、該検出器はパケット番号発生器８６の入力端子に結合された出力端子を有している。該発生器８６の出力端子は前記合成ユニット８２の第２入力端子に結合されている。
選択器７６は、入力端子７８を介して入力された選択信号に応答して、入力端子１１に供給された直列ＭＰＥＧデータ流から伝送パケットＰk-4、Ｐk-1、Ｐk、Ｐk+2、Ｐk+4及びＰk+8を選択する。選択されたこれらパケットは同期削除器８０に供給され、該削除器においてはパケットヘッダＰＨの最初の同期バイト（第３図参照）が前述したようにパケットから削除される。パケット検出器８４は、入力端子１１に供給された元の直列ＭＰＥＧデータ流における各パケットの入力を検出し、検出された各パケットに対してクロックパルス（ckock impulse）を発生する。発生器８６は、当該発生器８６に供給される上記クロックパルスに基づいて計数を行うカウンタを含んでいる。結果として、各クロックパルスが入力される毎に次の大きな計数値が出力端子に供給される。このように、発生器８６の出力端子８７には計数値…、ｋ−４、ｋ−３、ｋ−２、ｋ−１、ｋ、ｋ＋１、ｋ＋２、ｋ＋３、ｋ＋４、…が現れる。合成ユニット８２の制御入力端子８３に供給される制御信号の影響の下で、該合成ユニットは、信号ブロックに記憶するために、選択器７６により選択されたパケットＰk-4、Ｐk-1、Ｐk、Ｐk+2、Ｐk+4、Ｐk+8と、パケット番号発生器８６により供給された計数値の流れのうちの計数値ｋ−４、ｋ−１、ｋ、ｋ＋２、ｋ＋４、ｋ＋８とを組み合わせる。
第１０図は、伝送パケットと、これらに対応するパケット番号とが５つの信号ブロックの群にどのように記憶されるかの一例を示している。第１０図は、情報が記憶される符号Ｇ１、Ｇ２及びＧ３により示される５つの信号ブロックの３つの順次の群を示している。群Ｇ１の最初の信号ブロックＳＢ１の第３ブロック部TB3.1にはパケット番号Ｋ−４が記憶され、パケットＰk-4に含まれる情報がそれ以降群Ｇ１の信号ブロックＳＢ１、ＳＢ２及びＳＢ３に記憶される。又、群Ｇ１の３番目の信号ブロックＳＢ３のＦＢで示す第３ブロック部にはパケット番号ｋ−１が記憶され、パケットＰk-1に含まれる情報がそれ以降群Ｇ１の信号ブロックＳＢ３、ＳＢ４及びＳＢ５に記憶される。又、群Ｇ２の最初の信号ブロックＳＢ１の第３ブロック部TB3.1にはパケット番号ｋが記憶され、パケットＰkに含まれる情報がそれ以降群Ｇ２の信号ブロックＳＢ１、ＳＢ２及びＳＢ３に記憶される。又、群Ｇ２の３番目の信号ブロックＳＢ３のＦＢで示す第３ブロック部にはパケット番号ｋ＋２が記憶され、パケットＰk+2に含まれる情報がそれ以降群Ｇ２の信号ブロックＳＢ３、ＳＢ４及びＳＢ５に記憶される。又、群Ｇ３の最初の信号ブロックＳＢ１の第３ブロック部TB3.1にはパケット番号ｋ＋４が記憶され、パケットＰk+4に含まれる情報がそれ以降群Ｇ３の信号ブロックＳＢ１、ＳＢ２及びＳＢ３に記憶される。又、群Ｇ３の３番目の信号ブロックＳＢ３のＦＢで示す第３ブロック部にはパケット番号ｋ＋８が記憶され、パケットＰk+8に含まれる情報がそれ以降群Ｇ３の信号ブロックＳＢ３、ＳＢ４及びＳＢ５に記憶される。パケット番号のビット数が８以下である限り、パケット番号は１バイト長の第３ブロック部ＦＢ内に入る。
第３ブロック部へのパケット番号の他の記憶例を第１１図に示す。群Ｇ１の信号ブロックＳＢ１、ＳＢ２及びＳＢ３の第３ブロック部TB3.1、TB3.2及びTB3.3にはパケット番号Ｋ−４が記憶され、前述したようにパケットＰk-4に含まれる情報が群Ｇ１の信号ブロックＳＢ１、ＳＢ２及びＳＢ３に記憶される。又、群Ｇ１の３番目の信号ブロックＳＢ３のＦＢで示す第３ブロック部と、該群Ｇ１の信号ブロックＳＢ４及びＳＢ５の第３ブロック部TB3.4及びTB3.5とにはパケット番号ｋ−１が記憶され、パケットＰk-1に含まれる情報が、第４図を参照して先に説明したように、群Ｇ１の信号ブロックＳＢ３、ＳＢ４及びＳＢ５に記憶される。又、群Ｇ２の信号ブロックＳＢ１、ＳＢ２及びＳＢ３の第３ブロック部TB3.1、TB3.2及びTB3.3にはパケット番号Ｋが記憶され、パケットＰkに含まれる情報が群Ｇ２の信号ブロックＳＢ１、ＳＢ２及びＳＢ３に記憶される。又、群Ｇ２の３番目の信号ブロックＳＢ３のＦＢで示す第３ブロック部と、該群Ｇ２の信号ブロックＳＢ４及びＳＢ５の第３ブロック部TB3.4及びTB3.5とにはパケット番号ｋ＋２が記憶され、パケットＰk+2に含まれる情報が群Ｇ２の信号ブロックＳＢ３、ＳＢ４及びＳＢ５に記憶される。又、群Ｇ３の信号ブロックＳＢ１、ＳＢ２及びＳＢ３の第３ブロック部TB3.1、TB3.2及びTB3.3にはパケット番号Ｋ＋４が記憶され、パケットＰk+4に含まれる情報が群Ｇ３の信号ブロックＳＢ１、ＳＢ２及びＳＢ３に記憶される。又、群Ｇ３の３番目の信号ブロックＳＢ３のＦＢで示す第３ブロック部と、該群Ｇ３の信号ブロックＳＢ４及びＳＢ５の第３ブロック部TB3.4及びTB3.5とにはパケット番号ｋ＋８が記憶され、パケットＰk+8に含まれる情報が群Ｇ３の信号ブロックＳＢ３、ＳＢ４及びＳＢ５に記憶される。
群Ｇ１の信号ブロックＳＢ３の第３ブロック部TB3.3にパケット番号ｋ−４を記憶する代わりに、同第３ブロック部にパケット番号ｋ−１を記憶することもできる。又、群Ｇ２の信号ブロックＳＢ３の第３ブロック部TB3.3にパケット番号ｋを記憶する代わりに、同第３ブロック部にパケット番号ｋ＋２を記憶することもできる。又、群Ｇ３の信号ブロックＳＢ３の第３ブロック部TB3.3にパケット番号ｋ＋４を記憶する代わりに、同第３ブロック部にパケット番号ｋ＋８を記憶することもできる。
第１２図は、上述したような方法で信号ブロックに記憶されたパケット番号情報を用いて第８ｂ図に示すデータ流から第８ａ図の元のＭＰＥＧデータ流の複製を発生するための、第７図の再生装置の「通常プレイ」処理ユニット６０の一実施例を概念的に示している。再現されたＭＰＥＧデータ流の複製を第８ｃ図に示す。符号６０'で示す第１２図の「通常プレイ」処理ユニットの実施例は、当該処理ユニット６０'の入力端子５９に結合されて第１０図又は第１１図の群Ｇ１、Ｇ２及びＧ３のような信号ブロックの順次続く群を入力する入力端子を有し、且つ、これら群から出力端子９１に供給されるパケットを取り出すと共にこれら信号ブロックの第３ブロック部からパケット番号…、ｋ−４、ｋ−１、ｋ、ｋ＋２、ｋ＋４、ｋ＋８、…の配列を取り出す一方、これらパケット番号の配列を出力端子９２に供給するデマルチプレクサ９０を有している。取り出された上記パケットは同期付加回路９４に供給され、該回路においては１バイト長のパケット同期信号が全てのパケットに最初のバイトとして再挿入される。このようにして得られたパケットは合成ユニット９６の入力端子９５に供給される。また、デマルチプレクサ９０の出力端子９２は合成ユニット９６及びダミーパケット発生器100の各入力端子９７及び９８に結合されている。上記ダミーパケット発生器100の出力端子102は合成ユニット９６の入力端子103に結合されている。又、合成ユニット９６の出力端子105は当該「通常プレイ」処理ユニット６０'の出力端子６４に結合されている。
ここで、パケットＰk-4とパケット番号ｋ−４とが５つの信号ブロックの第１の群Ｇ１から取り出され、合成ユニット９６とダミーパケット発生器100とに供給されたと仮定しよう。この結果、パケットＰk-4が合成ユニット９６により出力端子105に供給される。次に、パケットＰk-1とパケット番号ｋ−１とが上記群Ｇ１から取り出され、合成ユニット９６とダミーパケット発生器100とに供給される。そして、比較器及び／又は減算器（図示せず）により、パケット番号ｋ−１は先に入力されたパケット番号ｋ−４の次に大きなパケット番号ではないこと及び２つのパケット番号が失われていることが確認される。結果として、ダミーパケット発生器100がデータ流中の他のパケットとして同一長のダミーパケットを２回発生し、合成ユニット９６はこれら２つのダミーパケットを直列データ流内にパケットＰk-4の直後に挿入する（第８ｃ図参照）。次に、合成ユニット９６はパケットＰk-1を上記直列データ流中に挿入する。
ここで、上記発生器100は表現されているようにダミーパケット発生器である特別な必要性はないことに注意されたい。上記発生器100は、ある時間長のダミー情報（info）を発生するダミー情報発生器とすることも可能であり、この時間長はパケットの時間長に等しいか又はパケットの時間長の倍数に等しい。
パケットＰkはデマルチプレクサ９０により取り出される次のパケットであり、該パケットは、同期バイトの付加の後、合成ユニット９６の入力端子９５に供給される。又、パケット番号ｋが合成ユニット９６及びダミーパケット発生器100の各入力端子９７及び９８に供給される。パケット番号ｋはパケット番号ｋ−１の次に大きなパケット番号であるから、ダミーパケットは発生されず、該パケットＰkは出力端子105に供給される。
次に、パケットＰk+2が取り出される。パケット番号ｋ＋２を、取り出された先のパケット番号ｋと比較すると、１個のダミーパケットを直列データ流中に挿入すべきであることが判る。次に、パケットＰk+2がデータ流に付加される（第８ｃ図参照）。この処理は、図８ｃのＭＰＥＧデータ流の再現された複製を得るために、他のパケットに対しても継続される。第８ａ図と第８ｃ図とを比較すれば、第８ｃ図が第８ａ図のＭＰＥＧデータ流と同一のビットレートとパケットレートとを持つＭＰＥＧ直列データ流を示していることが明らかである。このデータ流は、第８ｃ図のＭＰＥＧデータ流から、記録中に記録装置により選択された１つのビデオプログラムを復号することができるような標準のＭＰＥＧ復号器に供給することができる。
第１３ａ図はＭＰＥＧ直列データ流を時間の関数として示し、該データ流は可変長のパケットＰkを有し、該データ流中のビットレートも可変である。このＭＰＥＧデータ流の伝送パケットはパケット番号を有していないことに注意されたい。従って、図１３ａ図でパケットに付与されたパケット番号ｋは識別の目的のみで本説明に付加されたものである。第１４図は、第１３ａ図に示されたような直列データ流に含まれる１つのビデオプログラムを記録するための「通常プレイ」処理ユニット１４の一実施例を概念的に示している。第１４図で符号１４"で示す本実施例は第９図の実施例と大きく類似している。この実施例１４"は第９図の実施例とは、パケット番号発生器８６の代わりにタイミング検出器110が存在する点で相違し、該タイミング検出器は検出器８４の出力端子に結合された入力端子を有すると共に合成ユニット８２'の入力端子112に結合された出力端子111を有している。
第１３ａ図の直列データ流内のパケットＰkのうちの、選択されるであろう１つのプログラムに関する情報を含むパケットのみを選択するということは、ここでも、例えば、パケットＰk-4、Ｐk-1、Ｐk、Ｐk+2、Ｐk+4、Ｐk+8が選択され、それらの中間のパケットは捨てられることを意味する。第１３ｂ図は、第１０図及び第１１図を参照して既に述べたように、信号ブロックの群に記憶される選択されたパケットのデータ流を示している。ここでも、第１３ａ図と第１３ｂ図との時間軸の間には何等時間関係はないことに注意されたい。更に、第１３ａ図のデータ流内のパケットは長さが等しくないが、これらパケットは全て１８８バイトの情報を含むことに注意されたい。従って、第１３ｂ図に示された選択されたパケットは、等しい長さを持つパケットとして示されている。
第１４図の実施例は第１３ａ図のデータ流を入力し、該データ流からパケットＰk-4、Ｐk-1、Ｐk、Ｐk+2、Ｐk+4、Ｐk+8を選択する。パケット検出器８４は入力端子１１に供給された元の直列ＭＰＥＧデータ流内の各パケットの入力を検出し、検出された各パケットに対してクロックパルス（clock impulse）を発生する。入力された各クロックパルスに応答して、タイミング検出器110はパケットＰkの発生時点ｔkを検出する（第１３ａ図参照）。このように、上記検出器110の出力端子111には時点…、ｔk-4、ｔk-3、ｔk-2、ｔk-1、ｔk、…が現れる。更に、タイミング検出器110は２つの連続した時点の間の時間間隔の長さdtkを検出する。この場合、dtkは時間間隔ｔk+1〜ｔkに等しい。これらの時間間隔値dtkも出力端子111に供給される。合成ユニット８２'の制御入力端子８３に供給される制御信号により、該合成ユニットは、信号ブロックへ記憶するために、選択器７６により選択されたパケットＰk-4、Ｐk-1、Ｐk、Ｐk+2、Ｐk+4、Ｐk+8と、タイミング発生器110により供給される情報の流れからの各時点及びそれらに対応する時間間隔ｔk-4、dtk-4、ｔk-1、dtk-1、ｔk、dtk、ｔk+2、dtk+2、ｔk+4、dtk+4、ｔk+8、dtk+8とを組み合わせる。
上記伝送パケットの信号ブロックへの記憶は第１０図及び第１１図を参照して前述したのと同じ方法で実行される。この場合、第３ブロック部へのタイミング情報の記憶は以下のようにすることができる。
第１０図の群Ｇ１の最初の信号ブロックＳＢ１の第３ブロック部TB3.1には、タイミング情報ｔk-4及びdtk-4が記憶される。群Ｇ１の３番目の信号ブロックＳＢ３のＦＢで示す第３ブロック部には、タイミング情報ｔk-1及びdtk-1が記憶される。又、群Ｇ２の最初の信号ブロックＳＢ１の第３ブロック部TB3.1には、タイミング情報ｔk及びdtkが記憶される。又、群Ｇ２の３番目の信号ブロックＳＢ３のＦＢで示す第３ブロック部には、タイミング情報ｔk+2及びdtk+2が記憶される。又、群Ｇ３の最初の信号ブロックＳＢ１の第３ブロック部TB3.1には、タイミング情報ｔk+4及びdtk+4が記憶される。又、群Ｇ３の３番目の信号ブロックＳＢ３のＦＢで示す第３ブロック部には、タイミング情報ｔk+8及びdtk+8が記憶される。
各群の最初の信号ブロックＳＢ１における第３ブロック部TB3.1及び／又は各群の３番目の信号ブロックＳＢ３の第３ブロック部ＦＢが前記タイミング情報を記憶するには小さ過ぎる場合があり得る。その場合には、当該タイミング情報はどこか他の場所に記憶することもでき、又は一部は第３ブロック部TB3.1及びＦＢに記憶すると共に一部はどこか他の場所に記憶することもできる。
第１１図の例によれば、タイミング情報ｔk-4及びdtk-4は群Ｇ１の信号ブロックＳＢ１、ＳＢ２及びＳＢ３の各第３ブロック部TB3.1、TB3.2及びTB3.3に記憶される。この場合、上記タイミング情報の記憶は第３ブロック部TB3.1、TB3.2及びTB3.3の全記憶容量に一度だけ実行することもでき、又は少なくとも１度、繰り返すこともできる。一例としては、タイミング情報ｔk-4及びdtk-4は第３ブロック部TB3.1、TB3.2及びTB3.3の各々に記憶される。タイミング情報ｔk-1及びdtk-1は群Ｇ１の信号ブロックＳＢ３、ＳＢ４及びＳＢ５の各第３ブロック部ＦＢ、TB3.4及びTB3.5に記憶される。この場合、上記タイミング情報の記憶は第３ブロック部ＦＢ、TB3.4及びTB3.5の全記憶容量に一度だけ実行することもでき、又は少なくとも１度、繰り返すこともできる。一例としては、タイミング情報ｔk-1及びdtk-1は第３ブロック部TB3.4及びTB3.5の各々に記憶される。尚、パケットＰk-1のタイミング情報は第３ブロック部TB3.3に記憶することもできる。更に、上記タイミング情報はブロック部ＦＢではなくて、第３ブロック部TB3.4及びTB3.5に記憶することもできる。
パケットＰkのタイミング情報も、前記パケットＰk-4のタイミング情報が群Ｇ１の第３ブロック部に記憶されたのと同様の方法で、群Ｇ２の第３ブロック部に記憶することができる。又、パケットＰk+2のタイミング情報も、前記パケットＰk-1のタイミング情報が群Ｇ１の第３ブロック部に記憶されたのと同様の方法で、群Ｇ２の第３ブロック部に記憶することができる。
又、パケットＰk+4のタイミング情報も、前記パケットＰk-4のタイミング情報が群Ｇ１の第３ブロック部に記憶されたのと同様の方法で、群Ｇ３の第３ブロック部に記憶することができる。又、パケットＰk+8のタイミング情報も、前記パケットＰk-1のタイミング情報が群Ｇ１の第３ブロック部に記憶されたのと同様の方法で、群Ｇ３の第３ブロック部に記憶することができる。
第１５図は、上述したような方法で信号ブロックに記憶されたタイミング情報を用いて第１３ｂ図に示すデータ流から第１３ａ図の元のＭＰＥＧデータ流の複製を発生するための、第７図の再生装置の「通常プレイ」処理ユニット６０の一実施例（符号６０"を付す）を概念的に示している。再現されたＭＰＥＧデータ流の複製を第１３ｃ図に示す。第１５図の実施例６０"は、第１２図の処理ユニットと大きく類似している。ここでも、デマルチプレクサ９０'は信号ブロックの順次続く群からパケットを取り出し、これらパケットを出力端子９１に供給するようになっている。デマルチプレクサ９０'は、更に、信号ブロック内の第３ブロック部からタイミング情報ｔk及びdtkを取り出し、これらタイミング情報を出力端子９２に供給するようになっている。同期バイトが同期付加器９４において各パケットに付加される。このようにして得られたパケットは、合成ユニット９６'の入力端子９５に供給される。また、デマルチプレクサ９０'の出力端子９２は、前記タイミング情報を合成ユニット９６'及び発生器100'に供給するために、合成ユニット９６'及びダミー情報発生器100'の各入力端子９７及び９８に結合されている。
ここで、パケットＰk-4と、これに対応するタイミング情報とが５つの信号ブロックの最初の群Ｇ１から取り出され、合成ユニット９６'とダミーパケット発生器100'とに供給されたと仮定しよう。この結果、合成ユニット９６'によりパケットＰk-4が上記タイミング情報に応答して出力端子105に供給される。パケットＰk-4の長さはdtk-4に等しく、該パケットはｔk-4に対応する時点に出力端子105に供給される。次に、パケットＰk-1と、該パケットＰk-1に対応するタイミング情報とが群Ｇ１から取り出され、合成ユニット９６'とダミーパケット発生器100'とに供給される。ここで、比較器及び／又は減算器（図示せず）により時点ｔk-1がｔk-4＋dtk-4に等しくないことが確認される。結果として、記録の際に、パケットＰk-4に続く少なくとも１個のパケットが捨てられたことになる。この結果、ダミー情報発生器100'はダミー情報のブロックを発生して、時点ｔk-4＋dtk-4におけるパケットＰk-4の終端と時点ｔk-1との間のギャップを埋める（第１３ｃ図参照）。
次に、合成ユニット９６'は長さdtk-1を持つパケットＰk-1を直列データ流に挿入する。
デマルチプレクサ９０'により取り出される次のパケットはパケットＰkであり、該パケットは同期バイトの付加の後、合成ユニット９６'の入力端子９５に供給される。このパケットＰkに対応するタイミング情報は、合成ユニット９６'及びダミー情報発生器100'の入力端子９７及び９８に供給される。ｔkはｔk-1＋dtk-1に等しいので、ダミー情報は発生する必要はなく、パケットＰkは出力端子105に供給される。
次にパケットＰk+2が取り出される。ｔk+2とｔk＋dtkとを比較すると、発生器100'により発生されるダミー情報により埋める必要があるギャップが存在することが判る。次に、長さdtk+2の長さを持つパケットＰk+2がデータ流に付加される（第１３ｃ図参照）。この処理は他のパケットについても継続され、第１３ｃ図のＭＰＥＧデータ流の複製が得られる。第１３ａ図と第１３ｃ図とを比較すれば、第１３ｃ図は第１３ａ図のＭＰＥＧデータ流と同一の（可変）ビットレートとパケットレートを持つＭＰＥＧ直列データ流を示していることが明らかであろう。このデータ流は、可変ビットレート及びパケットレートを持つ第１３ｃ図のＭＰＥＧデータ流から、記録の際に記録装置により選択された１つのビデオプログラムを復号することができる標準のＭＰＥＧ復号器に供給される。
ここで、単独で、又は前述したパケット番号情報及び／又はタイミング情報と一緒に信号ブロックの群内の空きスペースに挿入することができる他の情報について説明する。
上記のような他の情報の一例は、一群のｙ（＝５）個の信号ブロック内の信号ブロックが当該信号ブロックの群内の最初の信号ブロックであることを識別するような情報である。このような情報は第１０図及び第１１図における群Ｇ１、Ｇ２及びＧ３内の信号ブロックＳＢ１の第３ブロック部TB3.1に記憶することができる。
上記のような他の情報の他の例は、第１１図の状況におけるように、信号ブロックの第３ブロック部内に信号ブロック番号を含める場合である。信号ブロックの番号付けは群内で行うことができるので、第１１図の例の場合、番号１〜５は各群の信号ブロックＳＢ１〜ＳＢ５の各第３ブロック部TB3.1〜TB3.5に記憶される。信号ブロックの番号付けは、２群以上の信号ブロックに属するような、もっと多数の信号ブロックに対しても実現することができる。１つのトラック内の全ての信号ブロックが、これら信号ブロックの第３ブロック部に記憶された固有の信号ブロック番号を持つことも想像することができるであろう。この場合、一つのトラック内の全ての信号ブロックは、それらの固有の信号ブロック番号により識別することができる。
上述したような信号ブロックの番号付けは多くの利点を有している。信号ブロックを番号付けすることにより、混ぜ切り（shuffle）が固有の信号ブロック番号により識別される一つの群の信号ブロック内で行われる限りにおいて、信号ブロックを元の順序とは異なる順序に混ぜ切りすることが可能となる。再生に際して信号ブロック番号を検出することにより、混ぜ切りされた信号ブロックを逆混ぜ切りして、これら信号ブロックの元の順序を取り戻すことが可能である。
実施することができる他の対策は、信号ブロックに含まれる情報の記録及びその後の再生が伝送誤りに対する高度な保護を必要とするという理由で、信号ブロックを繰り返すことである。繰り返された信号ブロックは同一の信号ブロック番号を有するので、これら信号ブロックは再生に際して識別することができる。
更に、上記信号ブロック番号の検出時に、信号ブロックが後の記録及び再生段階で発生した伝送誤りにより失われたか否かを検出することができる。信号ブロック番号の配列の中で、ある信号ブロック番号が無くなっている場合は、無くなった信号ブロック番号を持つ信号ブロックが失われたと判断することができる。そのように検出された場合は、誤り訂正又は誤り隠しを実行し、無くなった信号ブロックを訂正又は隠蔽する。
次に、第６図の記録装置及び第７図の再生装置の各「トリックプレイ」処理ユニット１６及び６２の機能について説明する。再生装置でトリックモード（又はフィーチャモード）再生を実行するためには、記録担体４０は通常の移送速度以外の速度で移送される。第１６図は、記録された多数の斜めのトラックを持つ記録担体４０を示している。又、この第１６図は読取ヘッド５２が前記トリックモード時に該記録担体を走査する経路を符号120で示している。一般的に言って、トラック中の情報は異なるアジマス角のギャップを持つ少なくとも２個のヘッドにより記録されるので、偶数番号のトラックは一方のアジマスを有し、奇数番目のトラックは他方のアジマスを有する。このことは、上記経路120に沿って記録担体を走査した場合、上記２つのアジマス角の一方を持つヘッド５２は偶数番号の又は奇数番号のトラックのみからしか情報を読み取ることができない、ことを意味する。
トリックプレイモードの間にビデオ情報の再生を可能にするには、特にビデオ情報がデータを低減された形態で記録されている場合、トラック中の特別な位置に特別なトリックプレイ情報を付加し、これら位置がトリックプレイモードにおいて可能性のある記録担体用の種々の移送速度に対してヘッド５２により走査されるようにする必要がある。このトリックプレイ情報は、前述した方法によりトラックに記録された通常プレイ用ビデオ情報に加えて記録される特別なビデオ情報である。結果として、トラック中の信号ブロックの幾つかはこのトリックプレイ情報を有し、該情報はトリックプレイモード中にヘッド５２により走査され且つ読み取られねばならない。
ここで、ＭＰＥＧデータ流中のビデオデータに関する限り、ＭＰＥＧデータはデータを低減されたビデオ情報を有する。このようなデータの低減されたビデオ情報を実現するために、１画像に対応する情報は所謂Ｉフレームが得られるように内部符号化（intra encode）される。より高度なデータ低減は少なくとも２つの連続する画像に対してフレーム間符号化（interframe encode）を実施することにより得られ、この場合は結果として最初の画像に対してはＩフレームが、２番目の画像に対してはＰフレームが得られる。上記２つの画像を再生するには、Ｉフレーム情報に対して上記フレーム内符号化の逆であるフレーム内復号を実施して前記最初の画像を再現し、Ｉフレーム情報とＰフレーム情報との両方を用いて前記フレーム間符号化の逆であるフレーム間復号を実施して前記２番目の画像を再現しなければならない。
トリックモードにおいては、フレーム間復号を実現するためにＩフレーム情報のみならずこれに対応するＰフレーム情報をも取り出すことが可能ではないから、Ｉフレーム情報のみをビデオ信号を再生するために使用することができる。従って、「トリックプレイ」情報を得るためには、直列ＭＰＥＧデータ流に含まれるＩフレームに記憶された情報のみが「トリックプレイ」データとして抽出され且つ使用される。
第１６図のトラック124における斜線領域122により示される位置のようなトラック中の特別な位置に「トリックプレイ」情報を有する多数の信号ブロックが挿入されると言える。第１７図は上記トラック124中の信号ブロックの配列を示している。第１６図の斜線領域122は、第１７図の配列では、信号ブロックＳＢi〜ＳＢjにより形成される。この場合、当該トラックのトリックプレイ領域122に含まれる信号ブロック内の第３ブロック部は、これら信号ブロックがトリックモード情報を有するという指示子（indication）を有している。この指示子情報は信号ブロックＳＢi〜ＳＢjの第３ブロック部ＴＢ３内の符号Ｔにより示されている。トリックプレイ領域122より前のトラックに記憶された信号ブロック及び該トリックプレイ領域122より後のトラックに記憶された信号ブロックは、これら信号ブロックに記憶された情報が通常プレイ情報であることを指示するような情報を有する。これら指示情報は信号ブロックＳＢi-2、ＳＢi-1、ＳＢj+1内の第３ブロック部ＴＢ３に符号Ｎにより示されている。
このように、第６図の「トリックプレイ」処理ユニット１６は、入力端子１７に供給されたＭＰＥＧデータ流から上記トリックプレイ情報を取り出し、これらトリックプレイ情報をトラック中の特定の位置に記憶することを特別に意図する各信号ブロック中に記憶し、当該信号ブロックがトリックモード情報を記憶している信号ブロックであることを示す上記指示情報を上記各信号ブロックの第３ブロック部に挿入することができる。「通常プレイ」処理ユニット１４は、更に、該ユニット１４により発生された信号ブロックが通常プレイ情報を有することを示す指示情報を、これら信号ブロックの第３ブロック部に記憶することができる。
前記再生装置がトリックモードに切り換えられた場合、「トリックプレイ」処理ユニット６２は、第３ブロック部に記憶された指示子Ｔを有する各信号ブロックを検出し、トリックモード中のレビューオプションを実現するための処理のために上記各信号ブロックから情報を取り出すことができる。
ここで、上記においては本発明は螺旋走査型の記録装置の実施例を用いて説明したが、このことを以て限定的に解釈されるべきではない。本発明は、直線記録型の記録装置、又はディスク状の記録担体上に情報を記録する記録装置等にも同様に適用することができる。
引用文献リスト
（１）ヨーロッパ特許出願公開第４９２，７０４号（ＰＨＮ１３．５４６）
（２）ヨーロッパ特許出願第９３．２０２．９５０号（ＰＨＮ１４．２４１）
（３）ヨーロッパ特許出願第９３．２０１．２６３号（ＰＨＮ１４．４４９）
（４）グランドアライアンスＨＤＴＶシステム仕様書、原稿文、１９９４年２月２２日
（５）米国特許第５，１４２，４２１号明細書（ＰＨＮ１３．５３７）
【図１】
0003801198.tif 000002
【図２】
0003801198.tif 000003
【図３】
0003801198.tif 000004
【図４】
0003801198.tif 000005
【図５】
0003801198.tif 000006
【図９】
0003801198.tif 000007
【図６】
0003801198.tif 000008
【図７】
0003801198.tif 000009
【図８ａ】
0003801198.tif 000010
【図８ｂ】
0003801198.tif 000011
【図８ｃ】
0003801198.tif 000012
【図１０】
0003801198.tif 000013
【図１１】
0003801198.tif 000014
【図１２】
0003801198.tif 000015
【図１４】
0003801198.tif 000016
【図１５】
0003801198.tif 000017
【図１３ａ】
0003801198.tif 000018
【図１３ｂ】
0003801198.tif 000019
【図１３ｃ】
0003801198.tif 000020
【図１６】
0003801198.tif 000021
【図１７】
0003801198.tif 000022